(57)【要約】      （修正有）【課題】トレーニング装置への乗り降りが容易でありながら、トレーニング時における使用者の姿勢に対する規制を容易に変更できる多機能パッドを提供する。【解決手段】第１交差角で交差する座面と背凭れ面とを有するトレーニング装置に用いられる少なくとも七面を有する多機能パッド２００は、多機能パッドが上下反転されることで座面に選択的に載置される互いに非平行な第１面２０１及び第２面２０２と、多機能パッドが表裏反転されることで背凭れ面に選択的に接触される互いに非平行な第３面２０３及び第４面２０４と、第１面と第４面との間に形成され、第４面が背凭れ面と対面する時に、第１面に向かうに従い背凭れ面からの距離が大きくなるように傾斜する、第４面よりも面積が狭い第５面２０５と、多機能パッドの両側面を形成する第６面２０６及び第７面と、を有する。【選択図】図５
2017023611.tif 000002
【特許請求の範囲】
【請求項１】
第１交差角で交差する座面と背凭れ面とを有するトレーニング装置に用いられる少なくとも七面を有する多機能パッドであって、
前記多機能パッドが上下反転されることで前記座面に選択的に対面される第１面及び第２面と、
前記多機能パッドが表裏反転されることで前記背凭れ面に選択的に対面される互いに非平行な第３面及び第４面と、
前記第１面と前記第４面との間に形成され、前記第４面が前記背凭れ面と対面する時に、前記第１面に向かうに従い前記背凭れ面からの距離が大きくなるように傾斜する、前記第４面よりも面積が狭い第５面と、
前記多機能パッドの両側面を形成する第６面及び第７面と、
を有することを特徴とする多機能パッド。
【請求項２】
請求項１に記載の多機能パッドにおいて、
前記第１面と前記第３面との第２交差角は前記第１交差角と実質的に等しいことを特徴とする多機能パッド。
【請求項３】
請求項２に記載の多機能パッドにおいて、
前記第１交差角は鈍角であり、
前記第１面と前記第５面との第３交差角が実質的に直角であることを特徴とする多機能パッド。
【請求項４】
請求項１乃至３のいずれか一項に記載の多機能パッドにおいて、
前記第２面と前記第４面との第４交差角は前記第１交差角と実質的に等しいことを特徴とする多機能パッド。
【請求項５】
請求項４に記載の多機能パッドにおいて、
前記第１交差角は鈍角であり、
前記第２面と前記第３面との第５交差角が実質的に直角であることを特徴とする多機能パッド。
【請求項６】
請求項１乃至５のいずれか一項に記載の多機能パッドにおいて、
前記第３面及び前記第４面は、色及び模様の少なくとも一つが異なることを特徴とする多機能パッド。
【請求項７】
請求項１乃至５のいずれか一項に記載の多機能パッドにおいて、
前記第１面及び前記第２面は、色及び模様の少なくとも一つが異なることを特徴とする多機能パッド。
【発明の詳細な説明】
【技術分野】
【０００１】
本発明は、トレーニング装置の座面及び背凭れ面に配置して用いられる多機能パッドに関する。
【背景技術】
【０００２】
座面及び背凭れ面を有するトレーニング装置として、例えば負荷に抗して両脚を開脚または閉脚するインナーサイまたはアウターサイを挙げることができる（特許文献１）。
【先行技術文献】
【特許文献】
【０００３】
【特許文献１】特開２０１１−１８８９１１号公報
【発明の概要】
【発明が解決しようとする課題】
【０００４】
この種のトレーニング装置では、座面及び背凭れ面の交差角度は固定であるものが多い。背凭れの前後位置を調整可能とするものは、構造が複雑となり高価となる。さらに、トレーニング中には位置を容易に変更することはできず、座面から外れてトレーニングを中断してないと、背凭れの位置を調整することができない。
【０００５】
また、特許文献１に示すインナーサイ／アウターサイでは、使用者の膝関節部の内側面／外側面に当接する起立した当接部と、背凭れ部との間隔は比較的広い。使用者がインナーサイ／アウターサイに乗り降りする動作を容易にするためである。しかし、この広さは、特に熟練者にとってはトレーニング効果との関係からトレーニング中には不適となる。
【０００６】
本発明は、トレーニング装置への乗り降りが容易でありながら、トレーニング時における使用者の姿勢に対する規制を容易に変更できる多機能パッドを提供することを目的とする。
【課題を解決するための手段】
【０００７】
（１）本発明の一態様は、第１交差角で交差する座面と背凭れ面とを有するトレーニング装置に用いられる少なくとも七面を有する多機能パッドであって、
前記多機能パッドが上下反転されることで前記座面と選択的に対面される第１面及び第２面と、
前記多機能パッドが表裏反転されることで前記背凭れ面と選択的に対面される互いに非平行な第３面及び第４面と、
前記第１面と前記第４面との間に形成され、前記第４面が前記背凭れ面と対面する時に、前記第１面に向かうに従い前記背凭れ面からの距離が大きくなるように傾斜する、前記第４面よりも面積が狭い第５面と、
前記多機能パッドの両側面を形成する第６面及び第７面と、
を有する多機能パッドに関する。
【０００８】
本発明の一態様によれば、多機能パッドは少なくとも３つの機能が異なる使用形態を有する。第１使用形態では、多機能パッドの第１面が座面と対面され（第１面が下面側で第２面が上面側）、かつ、多機能パッドの第３面が背凭れ面と対面される（第３面が裏面側で第４面及び第５面が表面側）。第１使用形態と上下反転される第２使用形態では、多機能パッドの第２面が座面と対面され（第２面が下面側で第１面が上面側）、かつ、多機能パッドの第３面が背凭れ面と対面される（第３面が裏面側で第４面及び第５面が表面側）。第２使用形態と表裏反転される第３使用形態では、多機能パッドの第２面が座面と対面され（第２面が下面側で第１面が上面側）、かつ、多機能パッドの第４面が背凭れ面と対面される（第４面及び第５面が裏面側で第３面が表面側）。
【０００９】
第１使用形態では、多機能パッドの第３面がトレーニング装置の背凭れ面に規制されて多機能パッドが配置される。その際に座面側より立ち上がる多機能パッドの第５面（小面積）が、使用者のほぼ腰の高さの範囲で使用者を前方に押し出すことができる。この時、多機能パッドの第４面は使用者の背中から離れるように傾斜して配置される。
【００１０】
第１使用形態と上下反転される第２使用形態では、多機能パッドの第３面がトレーニング装置の背凭れ面に規制されて多機能パッドが配置される。その際に座面側より立ち上がる多機能パッドの第４面（中面積）が、使用者の腰及び背中の途中までの範囲で使用者を前方に押し出すことができる。この時、多機能パッドの第５面は使用者の背中から離れるように傾斜して配置される。
【００１１】
第２使用形態と表裏反転される第３使用形態では、多機能パッドの第４面がトレーニング装置の背凭れ面に規制されて多機能パッドが配置される。その際に座面側より立ち上がる多機能パッドの第３面（大面積）が、使用者の腰及び背中のほぼ全体の高さの範囲で使用者を前方に押し出すことができる。
【００１２】
（２）本発明の一態様では、前記第１面と前記第３面との第２交差角は前記第１交差角と実質的に等しくすることができる。こうすると、第１使用形態では、多機能パッドの第１面及び第３面がトレーニング装置の座面及び背凭れ面に接触して規制されて多機能パッドが配置される。
【００１３】
（３）本発明の一態様では、前記第１交差角は鈍角であり、前記第１面と前記第５面との第３交差角を実質的に直角とすることができる。こうすると、第１使用形態では、多機能パッドの第５面が座面より垂直に立ち上がって、小面積の第５面全体で、脊柱角度を立てて使用者の腰を前方に押し出すことができる。
【００１４】
（４）本発明の一態様では、前記第２面と前記第４面との第４交差角は前記第１交差角と実質的に等しくすることができる。こうすると、第３使用形態では、多機能パッドの第２面及び第４面がトレーニング装置の座面及び背凭れ面に接触して規制される。
【００１５】
（５）本発明の一態様では、前記第１交差角は鈍角であり、前記第２面と前記第３面との第５交差角を実質的に直角にすることができる。こうすると、第３使用形態では、多機能パッドの第４面が座面より垂直に立ち上がって、中面積の第４面全体で、脊柱角度を立てて使用者の腰を前方に押し出すことができる。さらに、多機能パッドの第４面がトレーニング装置の背凭れ面に接触して接触して多機能パッドが規制されて配置される第２使用形態では、座面側より垂直に立ち上がる多機能パッドの第４面（中面積）が、脊柱角度を立てて使用者の腰及び背中の途中までの範囲で使用者を前方に押し出すことができる。
【００１６】
（６）本発明の一態様では、前記第３面及び前記第４面は、色及び模様の少なくとも一つを異なせることができる。こうすると、多機能パッドの表裏を正確に把握することができる。
【００１７】
（７）本発明の一態様では、前記第４面及び前記第５面は、色及び模様の少なくとも一つを異ならせることができる。こうすると、多機能パッドの上下を正確に把握することができる。
【図面の簡単な説明】
【００１８】
【図１】本発明の一実施形態に係る多機能パッドが利用されるトレーニング装置を正面から見た斜視図である。
【図２】図１に示すトレーニング装置の平面図である。
【図３】図１に示すトレーニング装置の負荷作用部の一部を示す概略図である。
【図４】図１に示すトレーニング装置での開脚時の使用状況を説明する正面図である。
【図５】本発明の一実施形態に係る多機能パッドの斜視図である。
【図６】多機能パッドの正面図である。
【図７】多機能パッドの背面図である。
【図８】多機能パッドの右側面図である。
【図９】多機能パッドの左側面図である。
【図１０】多機能パッドの平面図である。
【図１１】多機能パッドの裏面図である。
【図１２】多機能パッドの第１使用形態を示す図である。
【図１３】多機能パッドの第２使用形態を示す図である。
【図１４】多機能パッドの第３使用形態を示す図である。
【図１５】多機能パッドの第４使用形態を示す図である。
【発明を実施するための形態】
【００１９】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００２０】
１．トレーニング装置の概要
図１は、本発明の一実施形態に係る多機能パッドが利用されるトレーニング装置を正面から見た斜視図であり、図２はトレーニング装置の平面図であり、図３は負荷作用部の一部を示す概略図である。
【００２１】
図１において、トレーニング装置（インナーサイ）は、骨格としての本体フレーム１を
有する。本体フレーム１は、図１〜図３に示すように、下部フレーム１１、上部フレーム１２及び門形フレーム１３を含むことができる。本体フレーム１には、座部２０と、第１，第２の可動案内部３０Ａ，３０Ｂと、第１，第２の回動軸４０Ａ，４０Ｂと、同調機構５０と、負荷作用部６０と、高さ変位調整機構７０とが支持されている。
【００２２】
座部２０には使用者が着座する。座部２０は、高さ変位調整機構としての座部高さ調整機構７０を介して、本体フレーム１の下部フレーム１１に支持されている。なお、本実施形態では、座部２０の座面は例えば水平面である。また、図２では背凭れ部２２は例えば上部フレーム１２等に垂直に固定されるが、後述するように座部２０と背凭れ部２２との交差角度（第１交差角）を直角でなく鈍角としても良い。
【００２３】
第１の可動案内部３０Ａは、図２に示すように、使用者の脚部例えば膝関節部の裏面に当接する平坦な第１当接部３１Ａと、使用者の脚部例えば膝関節部の内側面に当接する第２当接部３２Ａと含む。第２の可動案内部３０Ｂも同様に、第１当接部３１Ｂと、第２当接部３２Ｂと含むことができる。
【００２４】
第１，第２の回動軸４０Ａ，４０Ｂは、座部２０の下方に配置される。第１の回動軸４０Ａは、第１の可動案内部３０Ａを回動可能に支持する。第２の回動軸４０Ｂは、第２の可動案内部３０Ｂを回動可能に支持する。第１，第２の回動軸４０Ａ，４０Ｂは、図１に示すように、下部フレーム１１と、その上方の中間フレーム１４とにそれぞれ回動自在に支持されている。
【００２５】
ここで、図２に示すように、背凭れ部２２と第２当接部３２Ａ，３２Ｂとの間隔は比較的広い。それにより、使用者は容易にトレーニング装置に乗降することができる。一方、第１，第２の回動軸４０Ａ，４０Ｂは、図２に示す平面視にて、第２当接部３２Ａ，３２Ｂ側にシフトした位置に設定されることができる。第１，第２の回動軸４０Ａ，４０Ｂは、トレーニング装置における開閉中心位置である。よって、図２に示す平面視にて、使用者の両脚の開閉中心位置が、第１，第２の回動軸４０Ａ，４０Ｂに近づく姿勢で座部２０に坐することが好ましい。
【００２６】
なお、本実施形態では、第１，第２の可動案内部３０Ａ，３０Ｂを第１，第２の回動軸４０Ａ，４０Ｂに連結させるために、第１，第２のスライド位置調整機構９０Ａ，９０Ｂと、第１，第２の揺動角調整機構１００Ａ，１００Ｂと、を介在させている。
【００２７】
同調機構５０も、座部２０の下方に配置される。同調機構５０は、第１，第２の回動軸４０Ａ，４０Ｂを互いに逆方向でかつ実質的に同一の回動量となるように同調させる。同調機構５０は、図１に示すように、第１の回動軸４０Ａに固定された第１の同調ギア５０Ａと、第２の回動軸４０Ｂに固定されて第１の同調ギア５０Ａと噛合する第２の同調ギア５０Ｂとを含むことができる。
【００２８】
負荷作用部６０は、使用者の開脚または閉脚運動に伴う第１，第２の可動案内部３０Ａ，３０Ｂの回動に抗して、第１，第２の回動軸４０Ａ，４０Ｂの少なくとも一方例えば第２の回動軸４０Ｂに負荷を作用させる。負荷作用部６０は、図２に示すように、門形フレーム１３に支持され複数のガイド軸６１に沿って昇降可能なウェイト６２を有する。ウェイト６２の荷重はワイヤー６３によって伝達されて、第２の回動軸４０Ｂの負荷として作用する。
【００２９】
図２及び図３に示すように、ウェイト６２に連結されたワイヤー６３は、上部フレーム１２に支持された第１，第２プーリー６４，６５と、下部フレーム１１に支持された第３，第４プーリー６６，６７を経由して、第２の回動軸４０Ｂ側に引き回されている。
【００３０】
なお、本実施形態では、負荷作用部６０からの負過は、負荷調整部８０を介して第２の回動軸４０Ｂに作用する。よって、ワイヤー６３は、図１に示すように、負荷調整部８０に連結されている。
【００３１】
図４では、座部２０と第１，第２の可動案内部３０Ａ，３０Ｂ（第１当接部３１Ａ，３１Ｂ）の各高さは共にＨ１で等しい。つまり、座部２０と第１，第２の可動案内部３０Ａ，３０Ｂとの間の高さ変位は零である。高さ変位調整機構７０は、座部２０と第１，第２の可動案内部３０Ａ，３０Ｂと間の高さ変位を零以外となるように調整可能である。
【００３２】
２．多機能パッド
この種のトレーニング装置に用いられる多機能パッド２００について、図５に示す斜視図、図６〜図１１に示す六面図及び図１２〜図１５に示す使用形態を示す図を参照して説明する。なお、図１２〜図１５においては、座部２０の下方の構造や背凭れ部２２の後方の構造は省略している。
【００３３】
図５〜図１１に示すように例えば七面体である多機能パッド２００は、図１２〜図１５に示すように多機能パッド２００が上下反転されることで、座部２０の座面２０Ａに選択的に対面される第１面２０１及び第２面２０２を有する。多機能パッド２００は、図１２〜図１５に示すように多機能パッド２００が表裏反転されることで、背凭れ部２２の背凭れ面２２Ａに選択的に対面される互いに非平行な第３面２０３及び第４面２０４を有する。多機能パッド２００は、図５に示すように、第１面２０１と第４面２０４との間に形成され、図１４に示すように第４面２０４が背凭れ面２２Ａと対面する時に、第１面２０１に向かうに従い背凭れ面２２Ａからの距離が大きくなるように傾斜する、第４面２０４よりも面積が狭い第５面２０５を有する。多機能パッド２００の残りの二面は、多機能パッド２００の両側面を形成する第６面２０６及び第７面２０７である。
【００３４】
一例として、多機能パッド２００の大きさは、図５に示す幅Ｗ＝３００ｍｍである。幅Ｗと直交する方向での第１面２０１〜第５面２０５の各長さは、第１面２０１の長さＬ１＝１２０ｍｍ、第３面２０３の長さＬ３＝４６３ｍｍ、第４面２０４の長さＬ４＝３４８ｍｍ、第５面２０５の長さＬ５＝１５０ｍｍである。
【００３５】
一例として、座面２０Ａと背凭れ面２２Ａとの交差角を１０５°としたとき、多機能パッド２００の第１面２０１〜第５面２０５のうち隣り合うｘ面及びｙ面が交差する角度をθｘｙとすると、例えばθ１３＝１０５°、θ１５＝９０°、θ４５＝１５７°、θ２３＝９０°、θ２４＝１０５°である。なお、第３面２０３と第４面２０４、第３面２０３と第５面２０５、第１面２０１と第２面２０２は、それぞれ互いに非平行となっている。ただし、背凭れ面２２Ａと選択的に対面される第３面２０３と第４面２０４とは非平行であることは必要であるが、第３面２０３と第５面２０５、第１面２０１と第２面２０２は、それぞれ互いに平行であっても良い。
【００３６】
本実施形態によれば、多機能パッド２００は少なくとも３つの機能が異なる使用形態を有する。先ず、図１２に示す第１使用形態では、多機能パッド２００の第１面２０１が座面２０Ａと対面され（第１面２０１が下面側で第２面２０２が上面側）、かつ、多機能パッド２００の第３面２０３が背凭れ面２２Ａと対面される（第３面２０３が裏面側で第４面２０４及び第５面２０５が表面側）。
【００３７】
この第１使用形態では、多機能パッド２００の第３面２０３がトレーニング装置の背凭れ面２２Ａに規制されて多機能パッド２００が配置される。その際に座面２０Ａ側より立ち上がる多機能パッド２００の比較的小面積である第５面２０５が、使用者のほぼ腰の高さの範囲で使用者を前方に押し出すことができる。それにより、使用者の座する位置が前方に偏るので、図２に示す平面視で、使用者の両脚の開閉中心位置が、第１，第２の回動軸４０Ａ，４０Ｂに近づく姿勢で座部２０に坐することになる。この時、多機能パッド２００の第４面２０４は使用者の背中から離れるように傾斜して配置されるので、第１使用形態では第４面２０４の役割は少ない。
【００３８】
特に、第１面２０１と第３面２０３との交差角（第２交差角）θ１３を、トレーニング装置の座面２０Ａ及び背凭れ面２２Ａとの交差角（第１交差角）と実質的に等しくすることが好ましい。こうすると、第１使用形態では、図１２に示すように、多機能パッド２００の第１面２０１が座面２０Ａと接触し、第３面２０３が背凭れ面２２Ａに接触する。こうして、座面２０Ａと背凭れ面２２Ａと面接触して多機能パッド２００が安定して保持される。
【００３９】
さらに、トレーニング装置の座面２０Ａ及び背凭れ面２２Ａとの交差角（第１交差角）が鈍角（例えば１０５°）であるときには、第１面２０１と第５面２０５との交差角（第３交差角）θ１５を実質的に直角とすることが好ましい。こうすると、第１使用形態では、多機能パッド２００の第５面２０５が座面２０Ａより垂直に立ち上がって、小面積の第５面２０５全体で、脊柱角度を立てて使用者の腰を前方に押し出すことができる。
【００４０】
次に、第１使用形態と上下反転される図１３に示す第２使用形態では、多機能パッド２００の第２面２０２が座面２０Ａと対面され（第２面２０２が下面側で第１面２０１が上面側）、かつ、多機能パッド２００の第３面２０３が背凭れ面２２Ａと対面される（第３面２０３が裏面側で第４面２０４及び第５面２０５が表面側）。
【００４１】
この第２使用形態では、多機能パッド２００の第３面２０３がトレーニング装置の背凭れ面２２Ａに規制されて多機能パッド２００が配置される。それにより、使用者の座する位置が前方に偏るので、図２に示す平面視で、使用者の両脚の開閉中心位置が、第１，第２の回動軸４０Ａ，４０Ｂに近づく姿勢で座部２０に坐することになる。その際に座面２０Ａ側より立ち上がる多機能パッド２００の第４面２０４（第５面２０５よりも広く第３面２０３よりも狭い中面積）が、使用者の腰及び背中の途中までの範囲で使用者を前方に押し出すことができる。よって、この第２使用形態は第１使用形態よりも使用者の姿勢を拘束することができる。この時、多機能パッド２００の第５面２０５は使用者の背中から離れるように傾斜して配置されるので、第２使用形態では第５面２０５の役割は少ない。
【００４２】
特に、トレーニング装置の座面２０Ａ及び背凭れ面２２Ａとの交差角（第１交差角）が鈍角（例えば１０５°）であるときには、第２面２０２と第４面２０４との交差角（第４交差角）θ２４が第１交差角と実質的に等しく、第２面２０２と第３面２０３との交差角（第４交差角）を実質的に直角にすることが好ましい。こうすると、図１３に示すように、座面２０Ａに対して第４面２０４は垂直となる。従って、座面２０Ａ側より垂直に立ち上がる多機能パッド２００の第４面（中面積）２０４が、脊柱角度を立てて使用者の腰及び背中の途中までの範囲で使用者を前方に押し出すことができる。
【００４３】
次に、第２使用形態と表裏反転される図１４に示す第３使用形態では、多機能パッド２００の第２面２０２が座面２０Ａと対面され（第２面２０２が下面側で第１面２０１が上面側）、かつ、多機能パッド２００の第４面２０４が背凭れ面と対面される（第４面２０４及び第５面２０５が裏面側で第３面２０３が表面側）。
【００４４】
この第３使用形態では、多機能パッド２００の第４面２０４がトレーニング装置の背凭れ面２２Ａに規制されて多機能パッド２００が配置される。それにより、使用者の座する位置が前方に偏るので、図２に示す平面視で、使用者の両脚の開閉中心位置が、第１，第２の回動軸４０Ａ，４０Ｂに近づく姿勢で座部２０に坐することになる。その際に座面２０Ａ側より立ち上がる多機能パッド２００の第３面（大面積）２０３が、使用者の腰及び背中のほぼ全体の高さの範囲で使用者を前方に押し出すことができる。よって、この第３使用形態は第２使用形態よりもさらに使用者の姿勢を拘束することができる。
【００４５】
特に、第２面２０２と第４面２０４との交差角（第４交差角）θ２４は、トレーニング装置の座面２０Ａ及び背凭れ面２２Ａとの交差角（第１交差角）と実質的に等しくすることが好ましい。こうすると、第３使用形態では、図１４に示すように、多機能パッド２００の第２面２０２が座面２０Ａと接触し、第４面２０４が背凭れ面２２Ａに接触する。こうして、座面２０Ａと背凭れ面２２Ａと面接触して多機能パッド２００が安定して保持される。
【００４６】
さらに、トレーニング装置の座面２０Ａ及び背凭れ面２２Ａとの交差角（第１交差角）が鈍角（例えば１０５°）であるときには、第２面２０２と第３面２０３との交差角（第５交差角）θ２３を実質的に直角にすることができる。こうすると、第３使用形態では、多機能パッド２００の第４面２０４が座面２０Ａより垂直に立ち上がって、中面積の第４面全体で、脊柱角度を立てて使用者の腰を前方に押し出すことができる。
【００４７】
この他、多機能パッド２００を図１５に示す第４使用形態にて使用することもできる。図１５に示す第４使用形態は、図１４に示す第３使用形態の多機能パッド２００を上下反転したものである。この第４使用形態でも、多機能パッド２００の第４面２０４がトレーニング装置の背凭れ面２２Ａに規制されて多機能パッド２００が配置される。それにより、使用者の座する位置が前方に偏るので、図２に示す平面視で、使用者の両脚の開閉中心位置が、第１，第２の回動軸４０Ａ，４０Ｂに近づく姿勢で座部２０に坐することになる。その際にトレーニング装置の座面２０Ａ及び背凭れ面２２Ａとの交差角（第１交差角）よりも座面２０Ａに対する傾斜角度が緩和された第３面（大面積）２０３が、使用者の腰及び背中のほぼ全体の高さの範囲で配置される。それにより、この第４使用形態は、第３面２０３が座面２０Ａに対して垂直となる第３使用形態よりも、使用者に対する姿勢への規制が緩和される。
【００４８】
なお、上記のように本実施形態について説明したが、本発明の新規事項および効果から実体的に逸脱しない多くの変形が可能であることは当業者には容易に理解できるものである。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。
【００４９】
例えば、多機能パッド２００の第３面２０３及び第４面２０４は、色及び模様の少なくとも一つを異ならせることができる。こうすると、多機能パッド２００の表裏を正確に把握することができる。
【００５０】
また、多機能パッド２００の第１面２０１及び第２面２０２は、色及び模様の少なくとも一つを異ならせることができる。こうすると、多機能パッド２００の上下を正確に把握することができる。この際、第１面２０１は第５面２０５と色及び模様を同一とし、第２面２０２は第４面２０４と色及び模様を同一としても良い。
【００５１】
さらに、多機能パッド２００の上下又は表裏の反転動作をし易くするために、多機能パッド２００を指で掴む部位を設けても良い。例えば、第３面２０３の上下方向の端辺に沿って、突片を設けることができる。この突片は、例えば布等の柔らかい部材により形成されることで、安全性が確保される。
【００５２】
本発明の多機能パッド２００は、５つの機能面２０１〜２０５と、両側面２０６，２０７との７つの面を有する限り、他の面を増設しても良いことは言うまでもない。また、５つの機能面２０１〜２０５は実質的に平坦な面であるが、側面２０６，２０７は平坦でなくても良い。
【００５３】
本発明の多機能パッド２００が利用されるトレーニング装置は、インナーサイ／アウターサイに限らず、座部２０及び背凭れ部２２が設けられる各種トレーニング装置に広く利用することができる。例えば、座した姿勢の背中の延長線を超えたオーバー位置まで負荷に抗して両手を移動させるプルオーバーや、座した姿勢で負荷に抗して両脚を伸長させるレッグプレス等にも多機能パッド２００を利用することができる。また、座面２０Ａ及び背凭れ面２２Ａの交差角は鈍角に限らず、直角であっても良い。多機能パッド２００により、使用者の座する位置が前方に偏るので、図２に示す平面視で、使用者の両脚の開閉中心位置が、第１，第２の回動軸４０Ａ，４０Ｂに近づく姿勢で座部２０に坐することになるからである。この他、座面２０Ａに対する脊柱角度を直角以外に変更することも可能となるからである。
【符号の説明】
【００５４】
２０Ａ  座面、２２Ａ  背凭れ面、２００  多機能パッド、２０１  第１面、２０２  第２面、２０３  第３面、２０４  第４面、２０５  第５面、２０６  第６面、２０７  
第７面、θ１３  第２交差角、θ１５  第３交差角、θ２４  第４交差角、θ２３  第５交差角
【図１】
2017023611.tif 000003
【図２】
2017023611.tif 000004
【図３】
2017023611.tif 000005
【図４】
2017023611.tif 000006
【図５】
2017023611.tif 000007
【図６】
2017023611.tif 000008
【図７】
2017023611.tif 000009
【図８】
2017023611.tif 000010
【図９】
2017023611.tif 000011
【図１０】
2017023611.tif 000012
【図１１】
2017023611.tif 000013
【図１２】
2017023611.tif 000014
【図１３】
2017023611.tif 000015
【図１４】
2017023611.tif 000016
【図１５】
2017023611.tif 000017